(57)【要約】【課題】本発明はマルチアングル携帯電話ホルダーを開示した。【解決手段】本体を含み、前記本体の上側にはパレットが回転できるように設けられ、前記本体の下側には台座が設けられ、前記本体の下端面の左端が前記台座の左端に回転できるように連結され、前記本体の中には手動制御装置が設けられ、前記パレットの中には調整挟み装置が設けられ、前記調整挟み装置は前記パレットの左端に設置される底板を含み、本装置によって携帯電話を固定して支えているとき、百八十度の角度反転と三百六十度の水平および垂直画面回転を実現でき、より多くの利用ニーズを満たし、同時に、携帯電話の異なったサイズに従って調節することができ、より多くの携帯電話のタイプの使用に適応することができ、同時に、連動方式では四面の挟み板を簡単に開けることができる。【選択図】図１
2020175082.tif 000002
【特許請求の範囲】
【請求項１】
本体を含み、前記本体の上側にはパレットが回転できるように設けられ、前記本体の下側には台座が設けられ、前記本体の下端面の左端が前記台座の左端に回転できるように連結され、前記本体の中には手動制御装置が設けられ、前記パレットの中には調整挟み装置が設けられ、前記調整挟み装置は前記パレットの左端に設置される底板を含み、前記パレットにはサイド板が前後に対称的に設けられ、前記パレットの右側には調整板が設けられ、前記調整板の右端には頂板が設けられ、前記手動制御装置は前記調整板を制御して移動させ、それによって携帯電話の長さに適応し、きつく挟むとき、前記底板を引き動かし、伝動機構によって前記サイド板と前記頂板を連動させて外側に広げ、携帯電話を前記パレットの上に置いてきつく挟むことに便利であり、前記本体と前記台座との回転する位置に位置制限装置が設けられ、前記位置制限装置は本体の下端面の左端に固定的に設けられる回転ブロックを含み、前記回転ブロックの中には引掛りロッドが前後に対称的に、且つ環状に配列されるように設けられ、前記台座の左端には固定ブロックが前後に対称的に且つ固定的に設けられ、前記回転ブロックは前記固定ブロックに回転できるように係合され、前記固定ブロックの相対する側の端面には引掛り溝が前記引掛りロッドに相対するように環状に配列されて設けられ、前記台座の右側上端には上挟み板が固定的に設けられ、前記台座の右端面の下側にはねじりチャンバが設けられ、前記ねじりチャンバの中には下挟み板が回転できるように設けられ、前記下挟み板の前後両端と前記ねじりチャンバの両壁との間にはトーションばね（図示せず）が固定的に設けられることを特徴とするマルチアングル携帯電話ホルダー。
【請求項２】
前記調整挟み装置は前記パレットを含み、前記パレットの中には伸縮チャンバが設けられ、前記伸縮チャンバの中には伸縮ロッドがスライドできるように設けられ、前記調整板が前記伸縮ロッドの右端に固定的に設けられ、前記伸縮ロッドの中には回転軸が回転できるように設けられ、前記回転軸の中にはスプライン孔が設けられ、前記伸縮チャンバの左側には伝動チャンバが設けられ、前記伝動チャンバの中には従動傘歯車が回転できるように設けられ、前記従動傘歯車の右端には前記スプライン孔の中に伸びているスプライン軸が固定的に連結され、前記従動傘歯車の左側には主動傘歯車が噛み合って設けられ、前記主動傘歯車の前端にはリールが固定的に設けられ、前記リールには張り線が巻きつくように設けられ、前記リールの前端と前記伝動チャンバの前壁には捻りばねが連結され、前記伝動チャンバの前後両側には反対に開口したサイドスライドチャンバが対称的に設けられ、前後サイド板の下側部分は前記サイドスライドチャンバの中に延びており、且つ前後サイド板の下側部分にねじチャンバが設けられ、前記主動傘歯車の後端と前記リールの前端には前記ねじチャンバの中に延びているねじロッドが固定的に設けられ、前記伝動チャンバの左側には底スライドチャンバが設けられ、前記底板の下端は前記底スライドチャンバの中に延びており、前記張り線が前記底板の下側部分の右端に連結され、前記調整板の中には引き動かしチャンバが設けられ、前記回転軸の右端は前記引き動かしチャンバの中に延びており、且つ前記回転軸の右端には主伝動傘歯車が固定的に設けられ、前記主伝動傘歯車の右側には前記主伝動傘歯車と噛み合っている従伝動傘歯車が設けられ、前記従伝動傘歯車の下端には揺りロッドが固定的に設けられ、前記揺りロッドの下端にはヒンジロッドがヒンジで連結され、前記頂板の下側部分は前記引き動かしチャンバの中に延びており、且つ前記ヒンジロッドの右端にヒンジで連結され、前記伸縮ロッドの下端面にはラックが固定的に設けられ、前記伸縮チャンバの下側には歯車チャンバが設けられ、前記歯車チャンバの中には前記ラックと噛み合っているラック歯車が回転できるように設けられ、前記ラック歯車の前端には従連動傘歯車が固定的に設けられ、前記従連動傘歯車の下側には前記従連動傘歯車と噛み合っている主連動傘歯車が設けられ、前記伸縮チャンバの下側には位置制限溝が連通するように設けられ、前記伸縮ロッドの下端には前記位置制限溝の中に伸びている位置制限ブロックが固定的に設けられることを特徴とする請求項１に記載のマルチアングル携帯電話ホルダー。
【請求項３】
前記手動制御装置は前記本体の中に設置される切替チャンバを含み、前記切替チャンバの中には従動はすば歯車が回転できるように設けられ、前記従動はすば歯車の上端には伝動軸が固定的に連結され、前記伝動軸は前記本体および前記パレットの回転中心を貫通しており、且つ前記主連動傘歯車の下端に連結され、前記切替チャンバの中において前記従動はすば歯車の右側には引掛り歯車ブロックが設けられ、前記引掛り歯車ブロックの右端と前記切替チャンバの右壁との間には圧縮バネが固定的に連結され、前記引掛り歯車ブロックの左側には切替ブロックが当接して設けられ、前記切替ブロックの中には空きチャンバが設けられ、前記従動はすば歯車が前記空きチャンバの中に位置することができ、前記切替チャンバの前側にはガイドスライドチャンバが連通するように設けられ、前記ガイドスライドチャンバの中には前記切替ブロックに固定的に連結されるガイドスライドロッドがスライドできるように設けられ、前記ガイドスライドロッドの左端と前記ガイドスライドチャンバの左壁との間には復帰バネが固定的に連結され、前記ガイドスライドロッドの後端は外部に伸びており、且つ前記ガイドスライドロッドの後端には制御ブロックが固定的に連結され、前記空きチャンバの中には前記従動はすば歯車の左端と噛み合っている主動はすば歯車が設けられ、前記主動はすば歯車の前端には動力軸が固定的に連結され、前記切替チャンバの前側には回転軸チャンバが連通するように設けられ、前記動力軸の前端は前記回転軸チャンバを貫通しており、且つ前記動力軸の前端には回転つまみが固定的に連結され、前記切替チャンバの左側にはプッシュロッドチャンバが連通するように設けられ、前記切替ブロックの左端には前記プッシュロッドチャンバの中に伸びているプッシュロッドが固定的に連結されることを特徴とする請求項１に記載のマルチアングル携帯電話ホルダー。
【請求項４】
前記位置制限装置は前記プッシュロッドチャンバの左側に連通するように設けられる昇降チャンバを含み、前記昇降チャンバの中には昇降ブロックがスライドできるように設けられ、前記昇降ブロックの右端面において前記プッシュロッドチャンバに相対する位置には凹溝が設けられ、前記昇降ブロックの上端と前記昇降チャンバの上壁との間には押圧ばねが固定的に連結され、前記回転ブロックの中には引掛り板チャンバが設けられ、前記昇降ブロックの下端は前記引掛り板チャンバの中に伸びており、且つ前記昇降ブロックの下端の前後両端にはプッシュプルロッドが対称的にヒンジで連結され、前記引掛り板チャンバの中にはスライド盤が前後に対称的にスライドできるように設けられ、前記プッシュプルロッドの下端が前記スライド盤の相対する一端にヒンジで連結され、前記引掛りロッドが前記スライド盤の反対側の端面に環状に配列されるように設置され、且つ外部に伸びていることを特徴とする請求項１に記載のマルチアングル携帯電話ホルダー。
【発明の詳細な説明】
【技術分野】
【０００１】
本発明は生活用品技術分野を取り上げて、具体的にはマルチアングル携帯電話ホルダーである。
【背景技術】
【０００２】
携帯電話ホルダーが日常生活で至る所に見られ、携帯電話を支えることができ、また携帯電話を挟み、角度を調整することによって携帯電話を快適な角度に保つことができる携帯電話ホルダーもあり、しかし既存の携帯電話ホルダーの多くはサポート効果しか有しなく、挟むことができる携帯電話ホルダーは両面締め付けと四面締め付けがあり、両面締め付けは、携帯電話が落下しないように挟む力が強いので、ホルダーを開くことが不便であり、四面締め付けにはサイズ制限があり、使用範囲が狭く、同時に多くのホルダーの回転角度の範囲が狭く、多くの使用ニーズを満たすことができなく、したがって、本発明は、上記の問題を解決することができる携帯電話ホルダーを設計することを目的とする。
【先行技術文献】
【特許文献】
【０００３】
【特許文献１】中国特許出願公開第１０４５３９７７０号明細書
【発明の概要】
【発明が解決しようとする課題】
【０００４】
本発明はマルチアングル携帯電話ホルダーを提供し、従来技術における上記欠点を解消することを目的とする。
【課題を解決するための手段】
【０００５】
本発明の実施例のマルチアングル携帯電話ホルダーは、本体を含み、前記本体の上側にはパレットが回転できるように設けられ、前記本体の下側には台座が設けられ、前記本体の下端面の左端が前記台座の左端に回転できるように連結され、前記本体の中には手動制御装置が設けられ、前記パレットの中には調整挟み装置が設けられ、前記調整挟み装置は前記パレットの左端に設置される底板を含み、前記パレットにはサイド板が前後に対称的に設けられ、前記パレットの右側には調整板が設けられ、前記調整板の右端には頂板が設けられ、前記手動制御装置は前記調整板を制御して移動させ、それによって携帯電話の長さに適応し、きつく挟むとき、前記底板を引き動かし、伝動機構によって前記サイド板と前記頂板を連動させて外側に広げ、携帯電話を前記パレットの上に置いてきつく挟むことに便利であり、前記本体と前記台座との回転する位置に位置制限装置が設けられ、前記位置制限装置は本体の下端面の左端に固定的に設けられる回転ブロックを含み、前記回転ブロックの中には引掛りロッドが前後に対称的に、且つ環状に配列されるように設けられ、前記台座の左端には固定ブロックが前後に対称的に且つ固定的に設けられ、前記回転ブロックは前記固定ブロックに回転できるように係合され、前記固定ブロックの相対する側の端面には引掛り溝が前記引掛りロッドに相対するように環状に配列されて設けられ、前記台座の右側上端には上挟み板が固定的に設けられ、前記台座の右端面の下側にはねじりチャンバが設けられ、前記ねじりチャンバの中には下挟み板が回転できるように設けられ、前記下挟み板の前後両端と前記ねじりチャンバの両壁との間にはトーションばね（図示せず）が固定的に設けられる。
【０００６】
更の技術プランとしては、前記調整挟み装置は前記パレットを含み、前記パレットの中には伸縮チャンバが設けられ、前記伸縮チャンバの中には伸縮ロッドがスライドできるように設けられ、前記調整板が前記伸縮ロッドの右端に固定的に設けられ、前記伸縮ロッドの中には回転軸が回転できるように設けられ、前記回転軸の中にはスプライン孔が設けられ、前記伸縮チャンバの左側には伝動チャンバが設けられ、前記伝動チャンバの中には従動傘歯車が回転できるように設けられ、前記従動傘歯車の右端には前記スプライン孔の中に伸びているスプライン軸が固定的に連結され、前記従動傘歯車の左側には主動傘歯車が噛み合って設けられ、前記主動傘歯車の前端にはリールが固定的に設けられ、前記リールには張り線が巻きつくように設けられ、前記リールの前端と前記伝動チャンバの前壁には捻りばねが連結され、前記伝動チャンバの前後両側には反対に開口したサイドスライドチャンバが対称的に設けられ、前後サイド板の下側部分は前記サイドスライドチャンバの中に延びており、且つ前後サイド板の下側部分にねじチャンバが設けられ、前記主動傘歯車の後端と前記リールの前端には前記ねじチャンバの中に延びているねじロッドが固定的に設けられ、前記伝動チャンバの左側には底スライドチャンバが設けられ、前記底板の下端は前記底スライドチャンバの中に延びており、前記張り線が前記底板の下側部分の右端に連結され、前記調整板の中には引き動かしチャンバが設けられ、前記回転軸の右端は前記引き動かしチャンバの中に延びており、且つ前記回転軸の右端には主伝動傘歯車が固定的に設けられ、前記主伝動傘歯車の右側には前記主伝動傘歯車と噛み合っている従伝動傘歯車が設けられ、前記従伝動傘歯車の下端には揺りロッドが固定的に設けられ、前記揺りロッドの下端にはヒンジロッドがヒンジで連結され、前記頂板の下側部分は前記引き動かしチャンバの中に延びており、且つ前記ヒンジロッドの右端にヒンジで連結され、前記伸縮ロッドの下端面にはラックが固定的に設けられ、前記伸縮チャンバの下側には歯車チャンバが設けられ、前記歯車チャンバの中には前記ラックと噛み合っているラック歯車が回転できるように設けられ、前記ラック歯車の前端には従連動傘歯車が固定的に設けられ、前記従連動傘歯車の下側には前記従連動傘歯車と噛み合っている主連動傘歯車が設けられ、前記伸縮チャンバの下側には位置制限溝が連通するように設けられ、前記伸縮ロッドの下端には前記位置制限溝の中に伸びている位置制限ブロックが固定的に設けられる。
【０００７】
更の技術プランとしては、前記手動制御装置は前記本体の中に設置される切替チャンバを含み、前記切替チャンバの中には従動はすば歯車が回転できるように設けられ、前記従動はすば歯車の上端には伝動軸が固定的に連結され、前記伝動軸は前記本体および前記パレットの回転中心を貫通しており、且つ前記主連動傘歯車の下端に連結され、前記切替チャンバの中において前記従動はすば歯車の右側には引掛り歯車ブロックが設けられ、前記引掛り歯車ブロックの右端と前記切替チャンバの右壁との間には圧縮バネが固定的に連結され、前記引掛り歯車ブロックの左側には切替ブロックが当接して設けられ、前記切替ブロックの中には空きチャンバが設けられ、前記従動はすば歯車が前記空きチャンバの中に位置することができ、前記切替チャンバの前側にはガイドスライドチャンバが連通するように設けられ、前記ガイドスライドチャンバの中には前記切替ブロックに固定的に連結されるガイドスライドロッドがスライドできるように設けられ、前記ガイドスライドロッドの左端と前記ガイドスライドチャンバの左壁との間には復帰バネが固定的に連結され、前記ガイドスライドロッドの後端は外部に伸びており、且つ前記ガイドスライドロッドの後端には制御ブロックが固定的に連結され、前記空きチャンバの中には前記従動はすば歯車の左端と噛み合っている主動はすば歯車が設けられ、前記主動はすば歯車の前端には動力軸が固定的に連結され、前記切替チャンバの前側には回転軸チャンバが連通するように設けられ、前記動力軸の前端は前記回転軸チャンバを貫通しており、且つ前記動力軸の前端には回転つまみが固定的に連結され、前記切替チャンバの左側にはプッシュロッドチャンバが連通するように設けられ、前記切替ブロックの左端には前記プッシュロッドチャンバの中に伸びているプッシュロッドが固定的に連結される。
【０００８】
更の技術プランとしては、前記位置制限装置は前記プッシュロッドチャンバの左側に連通するように設けられる昇降チャンバを含み、前記昇降チャンバの中には昇降ブロックがスライドできるように設けられ、前記昇降ブロックの右端面において前記プッシュロッドチャンバに相対する位置には凹溝が設けられ、前記昇降ブロックの上端と前記昇降チャンバの上壁との間には押圧ばねが固定的に連結され、前記回転ブロックの中には引掛り板チャンバが設けられ、前記昇降ブロックの下端は前記引掛り板チャンバの中に伸びており、且つ前記昇降ブロックの下端の前後両端にはプッシュプルロッドが対称的にヒンジで連結され、前記引掛り板チャンバの中にはスライド盤が前後に対称的にスライドできるように設けられ、前記プッシュプルロッドの下端が前記スライド盤の相対する一端にヒンジで連結され、前記引掛りロッドが前記スライド盤の反対側の端面に環状に配列されるように設置され、且つ外部に伸びている。
【発明の効果】
【０００９】
本発明の有益な効果は：本発明は構成が簡単で、操作が便利であり、本装置によって携帯電話を固定して支えているとき、百八十度の角度反転と三百六十度の水平および垂直画面回転を実現でき、より多くの利用ニーズを満たし、同時に、携帯電話の異なったサイズに従って調節することができ、より多くの携帯電話のタイプの使用に適応することができ、同時に、連動方式では四面の挟み板を簡単に開けることができる。
【図面の簡単な説明】
【００１０】
【図１】図１は本発明のマルチアングル携帯電話ホルダーの内部全体構成模式図
【図２】図２は図１の中の「Ａ−Ａ」方向の構成模式図
【図３】図３は図１の中の「Ｂ」の拡大模式図
【図４】図４は図１の中の「Ｃ−Ｃ」方向の構成模式図
【図５】図５は図１の中の「Ｄ−Ｄ」方向の構成模式図
【発明を実施するための形態】
【００１１】
下記に図１〜５を合わせて本発明について詳しく説明します。説明を便利にさせるように、ここで下記の方位に規定します：下記の上下左右前後という方向は図１の自身の投影関係の上下左右前後の方向と一致します。
【００１２】
図１〜５を参照し、本発明の実施例のマルチアングル携帯電話ホルダーは、本体１１を含み、前記本体１１の上側にはパレット１２が回転できるように設けられ、前記本体１１の下側には台座１３が設けられ、前記本体１１の下端面の左端が前記台座１３の左端に回転できるように連結され、前記本体１１の中には手動制御装置が設けられ、前記パレット１２の中には調整挟み装置が設けられ、前記調整挟み装置は前記パレット１２の左端に設置される底板１４を含み、前記パレット１２にはサイド板１５が前後に対称的に設けられ、前記パレット１２の右側には調整板１６が設けられ、前記調整板１６の右端には頂板１７が設けられ、前記手動制御装置は前記調整板１６を制御して移動させ、それによって携帯電話の長さに適応し、きつく挟むとき、前記底板１４を引き動かし、伝動機構によって前記サイド板１５と前記頂板１７を連動させて外側に広げ、携帯電話を前記パレット１２の上に置いてきつく挟むことに便利であり、前記本体１１と前記台座１３との回転する位置に位置制限装置が設けられ、前記位置制限装置は本体１１の下端面の左端に固定的に設けられる回転ブロック１８を含み、前記回転ブロック１８の中には引掛りロッド１９が前後に対称的に、且つ環状に配列されるように設けられ、前記台座１３の左端には固定ブロック２０が前後に対称的に且つ固定的に設けられ、前記回転ブロック１８は前記固定ブロック２０に回転できるように係合され、前記固定ブロック２０の相対する側の端面には引掛り溝２１が前記引掛りロッド１９に相対するように環状に配列されて設けられ、前記台座１３の右側上端には上挟み板７３が固定的に設けられ、前記台座１３の右端面の下側にはねじりチャンバ７４が設けられ、前記ねじりチャンバ７４の中には下挟み板７５が回転できるように設けられ、前記下挟み板７５の前後両端と前記ねじりチャンバ７４の両壁との間にはトーションばね（図示せず）が固定的に設けられる。
【００１３】
有益的には、前記調整挟み装置は前記パレット１２を含み、前記パレット１２の中には伸縮チャンバ２２が設けられ、前記伸縮チャンバ２２の中には伸縮ロッド２３がスライドできるように設けられ、前記調整板１６が前記伸縮ロッド２３の右端に固定的に設けられ、前記伸縮ロッド２３の中には回転軸２４が回転できるように設けられ、前記回転軸２４の中にはスプライン孔２５が設けられ、前記伸縮チャンバ２２の左側には伝動チャンバ２６が設けられ、前記伝動チャンバ２６の中には従動傘歯車２７が回転できるように設けられ、前記従動傘歯車２７の右端には前記スプライン孔２５の中に伸びているスプライン軸２８が固定的に連結され、前記従動傘歯車２７の左側には主動傘歯車２９が噛み合って設けられ、前記主動傘歯車２９の前端にはリール３０が固定的に設けられ、前記リール３０には張り線３１が巻きつくように設けられ、前記リール３０の前端と前記伝動チャンバ２６の前壁には捻りばね７６が連結され、前記伝動チャンバ２６の前後両側には反対に開口したサイドスライドチャンバ３２が対称的に設けられ、前後サイド板１５の下側部分は前記サイドスライドチャンバ３２の中に延びており、且つ前後サイド板１５の下側部分にねじチャンバ３３が設けられ、前記主動傘歯車２９の後端と前記リール３０の前端には前記ねじチャンバ３３の中に延びているねじロッド３４が固定的に設けられ、前記伝動チャンバ２６の左側には底スライドチャンバ３６が設けられ、前記底板１４の下端は前記底スライドチャンバ３６の中に延びており、前記張り線３１が前記底板１４の下側部分の右端に連結され、前記調整板１６の中には引き動かしチャンバ３７が設けられ、前記回転軸２４の右端は前記引き動かしチャンバ３７の中に延びており、且つ前記回転軸２４の右端には主伝動傘歯車３８が固定的に設けられ、前記主伝動傘歯車３８の右側には前記主伝動傘歯車３８と噛み合っている従伝動傘歯車３９が設けられ、前記従伝動傘歯車３９の下端には揺りロッド４０が固定的に設けられ、前記揺りロッド４０の下端にはヒンジロッド４１がヒンジで連結され、前記頂板１７の下側部分は前記引き動かしチャンバ３７の中に延びており、且つ前記ヒンジロッド４１の右端にヒンジで連結され、前記伸縮ロッド２３の下端面にはラック４２が固定的に設けられ、前記伸縮チャンバ２２の下側には歯車チャンバ４３が設けられ、前記歯車チャンバ４３の中には前記ラック４２と噛み合っているラック歯車４４が回転できるように設けられ、前記ラック歯車４４の前端には従連動傘歯車４５が固定的に設けられ、前記従連動傘歯車４５の下側には前記従連動傘歯車４５と噛み合っている主連動傘歯車４６が設けられ、前記伸縮チャンバ２２の下側には位置制限溝７１が連通するように設けられ、前記伸縮ロッド２３の下端には前記位置制限溝７１の中に伸びている位置制限ブロック７２が固定的に設けられる。
【００１４】
有益的には、前記手動制御装置は前記本体１１の中に設置される切替チャンバ４７を含み、前記切替チャンバ４７の中には従動はすば歯車４８が回転できるように設けられ、前記従動はすば歯車４８の上端には伝動軸４９が固定的に連結され、前記伝動軸４９は前記本体１１および前記パレット１２の回転中心を貫通しており、且つ前記主連動傘歯車４６の下端に連結され、前記切替チャンバ４７の中において前記従動はすば歯車４８の右側には引掛り歯車ブロック５０が設けられ、前記引掛り歯車ブロック５０の右端と前記切替チャンバ４７の右壁との間には圧縮バネ５１が固定的に連結され、前記引掛り歯車ブロック５０の左側には切替ブロック５２が当接して設けられ、前記切替ブロック５２の中には空きチャンバ５３が設けられ、前記従動はすば歯車４８が前記空きチャンバ５３の中に位置することができ、前記切替チャンバ４７の前側にはガイドスライドチャンバ５４が連通するように設けられ、前記ガイドスライドチャンバ５４の中には前記切替ブロック５２に固定的に連結されるガイドスライドロッド５５がスライドできるように設けられ、前記ガイドスライドロッド５５の左端と前記ガイドスライドチャンバ５４の左壁との間には復帰バネ５６が固定的に連結され、前記ガイドスライドロッド５５の後端は外部に伸びており、且つ前記ガイドスライドロッド５５の後端には制御ブロック５７が固定的に連結され、前記空きチャンバ５３の中には前記従動はすば歯車４８の左端と噛み合っている主動はすば歯車５８が設けられ、前記主動はすば歯車５８の前端には動力軸５９が固定的に連結され、前記切替チャンバ４７の前側には回転軸チャンバ６０が連通するように設けられ、前記動力軸５９の前端は前記回転軸チャンバ６０を貫通しており、且つ前記動力軸５９の前端には回転つまみ６１が固定的に連結され、前記切替チャンバ４７の左側にはプッシュロッドチャンバ６２が連通するように設けられ、前記切替ブロック５２の左端には前記プッシュロッドチャンバ６２の中に伸びているプッシュロッド６３が固定的に連結される。
【００１５】
有益的には、前記位置制限装置は前記プッシュロッドチャンバ６２の左側に連通するように設けられる昇降チャンバ６４を含み、前記昇降チャンバ６４の中には昇降ブロック６５がスライドできるように設けられ、前記昇降ブロック６５の右端面において前記プッシュロッドチャンバ６２に相対する位置には凹溝６６が設けられ、前記昇降ブロック６５の上端と前記昇降チャンバ６４の上壁との間には押圧ばね６７が固定的に連結され、前記回転ブロック１８の中には引掛り板チャンバ６８が設けられ、前記昇降ブロック６５の下端は前記引掛り板チャンバ６８の中に伸びており、且つ前記昇降ブロック６５の下端の前後両端にはプッシュプルロッド６９が対称的にヒンジで連結され、前記引掛り板チャンバ６８の中にはスライド盤７０が前後に対称的にスライドできるように設けられ、前記プッシュプルロッド６９の下端が前記スライド盤７０の相対する一端にヒンジで連結され、前記引掛りロッド１９が前記スライド盤７０の反対側の端面に環状に配列されるように設置され、且つ外部に伸びている。
【００１６】
初期状態では、調整板１６はパレット１２と当接し、本体１１は水平状態にあり、このとき、切替ブロック５２は中間位置にあり、このとき、主動はすば歯車５８と従動はすば歯車４８とは噛合していなく、引掛り歯車ブロック５０は従動はすば歯車４８と当接してそれを引っかからせ、引掛りロッド１９は引掛り溝２１の中に伸びていて挟まれる。
【００１７】
携帯電話をきつく挟んでサポートするとき、制御ブロック５７を手動で制御して右に移動させ、ガイドスライドロッド５５によって切替ブロック５２を連動させて右に移動させ、このとき引掛り歯車ブロック５０を引き動かして右に移動させ、このとき引掛り歯車ブロック５０が従動はすば歯車４８から離脱し、主動はすば歯車５８は従動はすば歯車４８と噛み合い、このとき回転つまみ６１を手動で回転させ、動力軸５９によって主動はすば歯車５８を回転連動させ、歯車の噛み合いによって従動はすば歯車４８を回転連動させ、伝動軸４９によって主連動傘歯車４６を回転連動させ、歯車の噛み合いによって従連動傘歯車４５を回転連動させ、且つラック歯車４４を回転連動させ、ラックと歯車との噛み合いによってラック４２を連動させて右に移動させ、且つ伸縮ロッド２３と調整板１６を連動させて右に移動させ、これにより伸縮ロッド２３と調整板１６との間の距離を携帯電話の長さに合わせるまで調整し、次に底板１４を左に引っ張り、張り線をさらに引き締め、且つリール３０と主動傘歯車２９を回転連動させ、次にねじロッド３４を回転連動させ、ねじ山による連結によってサイド板１５を連動させて両側に広げ、同時に主動傘歯車２９は歯車の噛み合いによって従動傘歯車２７を回転連動させ、スプライン軸２８と回転軸２４によって主伝動傘歯車３８を回転連動させ、歯車の噛み合いによって従伝動傘歯車３９を回転連動させ、且つ揺りロッド４０を回転連動させ、揺りロッド４０によって頂板１７を連動させて右に移動させ、このとき、携帯電話がパレット１２の上に置かれ、底板１４と、サイド板１５と、頂板１７とは捻りばね７６のねじり力で復帰し、且つ携帯電話を挟み、次に制御ブロック５７を制御して左に移動させ、ガイドスライド板５５によって切換ブロック５２およびプッシュロッド６３を連動させて左に移動させ、このとき、プッシュロッド６３が凹溝６６の中に伸びており、且つ昇降ブロック６５を連動させて上に移動させ、プッシュプルロッド６９によってスライド盤７０を引き動かして互いに近接させ、且つ引掛りロッド１９を連動させて引掛り溝２１から移出させ、このとき、本体１１を回転させて傾斜角を制御し、復帰バネ５６の弾性力で復帰し、下挟み板７５を裏返し、上挟み板７３と下挟み板７５をきつく挟んで携帯電話ホルダーを固定し、水平および垂直スクリーンの角度はパレット１２を回転させることによって調整されることができる。
【００１８】
有益な効果は：本装置によって携帯電話を固定して支えているとき、百八十度の角度反転と三百六十度の水平および垂直画面回転を実現でき、より多くの利用ニーズを満たし、同時に、携帯電話の異なったサイズに従って調節することができ、より多くの携帯電話のタイプの使用に適応することができ、同時に、連動方式では四面の挟み板を簡単に開けることができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175082.tif 000003
【図２】
2020175082.tif 000004
【図３】
2020175082.tif 000005
【図４】
2020175082.tif 000006
【図５】
2020175082.tif 000007
【手続補正書】
【提出日】令和1年6月19日(2019.6.19)
【手続補正１】
【補正対象書類名】特許請求の範囲
【補正対象項目名】請求項１
【補正方法】変更
【補正の内容】
【請求項１】
本体を含み、前記本体の上側にはパレットが回転できるように設けられ、前記本体の下側には台座が設けられ、前記本体の下端面の左端が前記台座の左端に回転できるように連結され、前記本体の中には手動制御装置が設けられ、前記パレットの中には調整挟み装置が設けられ、前記調整挟み装置は前記パレットの左端に設置される底板を含み、前記パレットにはサイド板が前後に対称的に設けられ、前記パレットの右側には調整板が設けられ、前記調整板の右端には頂板が設けられ、前記手動制御装置は前記調整板を制御して移動させ、それによって携帯電話の長さに適応し、きつく挟むとき、前記底板を引き動かし、伝動機構によって前記サイド板と前記頂板を連動させて外側に広げ、携帯電話を前記パレットの上に置いてきつく挟むことが可能であり、前記本体と前記台座との回転する位置に位置制限装置が設けられ、前記位置制限装置は本体の下端面の左端に固定的に設けられる回転ブロックを含み、前記回転ブロックの中には引掛りロッドが前後に対称的に、且つ環状に配列されるように設けられ、前記台座の左端には固定ブロックが前後に対称的に且つ固定的に設けられ、前記回転ブロックは前記固定ブロックに回転できるように係合され、前記固定ブロックの相対する側の端面には引掛り溝が前記引掛りロッドに相対するように環状に配列されて設けられ、前記台座の右側上端には上挟み板が固定的に設けられ、前記台座の右端面の下側にはねじりチャンバが設けられ、前記ねじりチャンバの中には下挟み板が回転できるように設けられ、前記下挟み板の前後両端と前記ねじりチャンバの両壁との間にはトーションばねが固定的に設けられることを特徴とするマルチアングル携帯電話ホルダー。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはマルチアングル携帯電話ホルダーである。
【背景技術】
【０００２】
携帯電話ホルダーが日常生活で至る所に見られ、携帯電話を支えることができ、また携帯電話を挟み、角度を調整することによって携帯電話を快適な角度に保つことができる携帯電話ホルダーもあり、しかし既存の携帯電話ホルダーの多くはサポート効果しか有しなく、挟むことができる携帯電話ホルダーは両面締め付けと四面締め付けがあり、両面締め付けは、携帯電話が落下しないように挟む力が強いので、ホルダーを開くことが不便であり、四面締め付けにはサイズ制限があり、使用範囲が狭く、同時に多くのホルダーの回転角度の範囲が狭く、多くの使用ニーズを満たすことができなく、したがって、本発明は、上記の問題を解決することができる携帯電話ホルダーを設計することを目的とする。
【先行技術文献】
【特許文献】
【０００３】
【特許文献１】中国特許出願公開第１０４５３９７７０号明細書
【発明の概要】
【発明が解決しようとする課題】
【０００４】
本発明はマルチアングル携帯電話ホルダーを提供し、従来技術における上記欠点を解消することを目的とする。
【課題を解決するための手段】
【０００５】
本発明の実施例のマルチアングル携帯電話ホルダーは、本体を含み、前記本体の上側にはパレットが回転できるように設けられ、前記本体の下側には台座が設けられ、前記本体の下端面の左端が前記台座の左端に回転できるように連結され、前記本体の中には手動制御装置が設けられ、前記パレットの中には調整挟み装置が設けられ、前記調整挟み装置は前記パレットの左端に設置される底板を含み、前記パレットにはサイド板が前後に対称的に設けられ、前記パレットの右側には調整板が設けられ、前記調整板の右端には頂板が設けられ、前記手動制御装置は前記調整板を制御して移動させ、それによって携帯電話の長さに適応し、きつく挟むとき、前記底板を引き動かし、伝動機構によって前記サイド板と前記頂板を連動させて外側に広げ、携帯電話を前記パレットの上に置いてきつく挟むことが可能であり、前記本体と前記台座との回転する位置に位置制限装置が設けられ、前記位置制限装置は本体の下端面の左端に固定的に設けられる回転ブロックを含み、前記回転ブロックの中には引掛りロッドが前後に対称的に、且つ環状に配列されるように設けられ、前記台座の左端には固定ブロックが前後に対称的に且つ固定的に設けられ、前記回転ブロックは前記固定ブロックに回転できるように係合され、前記固定ブロックの相対する側の端面には引掛り溝が前記引掛りロッドに相対するように環状に配列されて設けられ、前記台座の右側上端には上挟み板が固定的に設けられ、前記台座の右端面の下側にはねじりチャンバが設けられ、前記ねじりチャンバの中には下挟み板が回転できるように設けられ、前記下挟み板の前後両端と前記ねじりチャンバの両壁との間にはトーションばねが固定的に設けられる。
【０００６】
更の技術プランとしては、前記調整挟み装置は前記パレットを含み、前記パレットの中には伸縮チャンバが設けられ、前記伸縮チャンバの中には伸縮ロッドがスライドできるように設けられ、前記調整板が前記伸縮ロッドの右端に固定的に設けられ、前記伸縮ロッドの中には回転軸が回転できるように設けられ、前記回転軸の中にはスプライン孔が設けられ、前記伸縮チャンバの左側には伝動チャンバが設けられ、前記伝動チャンバの中には従動傘歯車が回転できるように設けられ、前記従動傘歯車の右端には前記スプライン孔の中に伸びているスプライン軸が固定的に連結され、前記従動傘歯車の左側には主動傘歯車が噛み合って設けられ、前記主動傘歯車の前端にはリールが固定的に設けられ、前記リールには張り線が巻きつくように設けられ、前記リールの前端と前記伝動チャンバの前壁には捻りばねが連結され、前記伝動チャンバの前後両側には反対に開口したサイドスライドチャンバが対称的に設けられ、前後サイド板の下側部分は前記サイドスライドチャンバの中に延びており、且つ前後サイド板の下側部分にねじチャンバが設けられ、前記主動傘歯車の後端と前記リールの前端には前記ねじチャンバの中に延びているねじロッドが固定的に設けられ、前記伝動チャンバの左側には底スライドチャンバが設けられ、前記底板の下端は前記底スライドチャンバの中に延びており、前記張り線が前記底板の下側部分の右端に連結され、前記調整板の中には引き動かしチャンバが設けられ、前記回転軸の右端は前記引き動かしチャンバの中に延びており、且つ前記回転軸の右端には主伝動傘歯車が固定的に設けられ、前記主伝動傘歯車の右側には前記主伝動傘歯車と噛み合っている従伝動傘歯車が設けられ、前記従伝動傘歯車の下端には揺りロッドが固定的に設けられ、前記揺りロッドの下端にはヒンジロッドがヒンジで連結され、前記頂板の下側部分は前記引き動かしチャンバの中に延びており、且つ前記ヒンジロッドの右端にヒンジで連結され、前記伸縮ロッドの下端面にはラックが固定的に設けられ、前記伸縮チャンバの下側には歯車チャンバが設けられ、前記歯車チャンバの中には前記ラックと噛み合っているラック歯車が回転できるように設けられ、前記ラック歯車の前端には従連動傘歯車が固定的に設けられ、前記従連動傘歯車の下側には前記従連動傘歯車と噛み合っている主連動傘歯車が設けられ、前記伸縮チャンバの下側には位置制限溝が連通するように設けられ、前記伸縮ロッドの下端には前記位置制限溝の中に伸びている位置制限ブロックが固定的に設けられる。
【０００７】
更の技術プランとしては、前記手動制御装置は前記本体の中に設置される切替チャンバを含み、前記切替チャンバの中には従動はすば歯車が回転できるように設けられ、前記従動はすば歯車の上端には伝動軸が固定的に連結され、前記伝動軸は前記本体および前記パレットの回転中心を貫通しており、且つ前記主連動傘歯車の下端に連結され、前記切替チャンバの中において前記従動はすば歯車の右側には引掛り歯車ブロックが設けられ、前記引掛り歯車ブロックの右端と前記切替チャンバの右壁との間には圧縮バネが固定的に連結され、前記引掛り歯車ブロックの左側には切替ブロックが当接して設けられ、前記切替ブロックの中には空きチャンバが設けられ、前記従動はすば歯車が前記空きチャンバの中に位置することができ、前記切替チャンバの前側にはガイドスライドチャンバが連通するように設けられ、前記ガイドスライドチャンバの中には前記切替ブロックに固定的に連結されるガイドスライドロッドがスライドできるように設けられ、前記ガイドスライドロッドの左端と前記ガイドスライドチャンバの左壁との間には復帰バネが固定的に連結され、前記ガイドスライドロッドの後端は外部に伸びており、且つ前記ガイドスライドロッドの後端には制御ブロックが固定的に連結され、前記空きチャンバの中には前記従動はすば歯車の左端と噛み合っている主動はすば歯車が設けられ、前記主動はすば歯車の前端には動力軸が固定的に連結され、前記切替チャンバの前側には回転軸チャンバが連通するように設けられ、前記動力軸の前端は前記回転軸チャンバを貫通しており、且つ前記動力軸の前端には回転つまみが固定的に連結され、前記切替チャンバの左側にはプッシュロッドチャンバが連通するように設けられ、前記切替ブロックの左端には前記プッシュロッドチャンバの中に伸びているプッシュロッドが固定的に連結される。
【０００８】
更の技術プランとしては、前記位置制限装置は前記プッシュロッドチャンバの左側に連通するように設けられる昇降チャンバを含み、前記昇降チャンバの中には昇降ブロックがスライドできるように設けられ、前記昇降ブロックの右端面において前記プッシュロッドチャンバに相対する位置には凹溝が設けられ、前記昇降ブロックの上端と前記昇降チャンバの上壁との間には押圧ばねが固定的に連結され、前記回転ブロックの中には引掛り板チャンバが設けられ、前記昇降ブロックの下端は前記引掛り板チャンバの中に伸びており、且つ前記昇降ブロックの下端の前後両端にはプッシュプルロッドが対称的にヒンジで連結され、前記引掛り板チャンバの中にはスライド盤が前後に対称的にスライドできるように設けられ、前記プッシュプルロッドの下端が前記スライド盤の相対する一端にヒンジで連結され、前記引掛りロッドが前記スライド盤の反対側の端面に環状に配列されるように設置され、且つ外部に伸びている。
【発明の効果】
【０００９】
本発明の有益な効果は：本発明は構成が簡単で、操作が便利であり、本装置によって携帯電話を固定して支えているとき、百八十度の角度反転と三百六十度の水平および垂直画面回転を実現でき、より多くの利用ニーズを満たし、同時に、携帯電話の異なったサイズに従って調節することができ、より多くの携帯電話のタイプの使用に適応することができ、同時に、連動方式では四面の挟み板を簡単に開けることができる。
【図面の簡単な説明】
【００１０】
【図１】図１は本発明のマルチアングル携帯電話ホルダーの内部全体構成模式図
【図２】図２は図１の中の「Ａ−Ａ」方向の構成模式図
【図３】図３は図１の中の「Ｂ」の拡大模式図
【図４】図４は図１の中の「Ｃ−Ｃ」方向の構成模式図
【図５】図５は図１の中の「Ｄ−Ｄ」方向の構成模式図
【発明を実施するための形態】
【００１１】
下記に図１〜５を合わせて本発明について詳しく説明します。説明を便利にさせるように、ここで下記の方位に規定します：下記の上下左右前後という方向は図１の自身の投影関係の上下左右前後の方向と一致します。
【００１２】
図１〜５を参照し、本発明の実施例のマルチアングル携帯電話ホルダーは、本体１１を含み、前記本体１１の上側にはパレット１２が回転できるように設けられ、前記本体１１の下側には台座１３が設けられ、前記本体１１の下端面の左端が前記台座１３の左端に回転できるように連結され、前記本体１１の中には手動制御装置が設けられ、前記パレット１２の中には調整挟み装置が設けられ、前記調整挟み装置は前記パレット１２の左端に設置される底板１４を含み、前記パレット１２にはサイド板１５が前後に対称的に設けられ、前記パレット１２の右側には調整板１６が設けられ、前記調整板１６の右端には頂板１７が設けられ、前記手動制御装置は前記調整板１６を制御して移動させ、それによって携帯電話の長さに適応し、きつく挟むとき、前記底板１４を引き動かし、伝動機構によって前記サイド板１５と前記頂板１７を連動させて外側に広げ、携帯電話を前記パレット１２の上に置いてきつく挟むことが可能であり、前記本体１１と前記台座１３との回転する位置に位置制限装置が設けられ、前記位置制限装置は本体１１の下端面の左端に固定的に設けられる回転ブロック１８を含み、前記回転ブロック１８の中には引掛りロッド１９が前後に対称的に、且つ環状に配列されるように設けられ、前記台座１３の左端には固定ブロック２０が前後に対称的に且つ固定的に設けられ、前記回転ブロック１８は前記固定ブロック２０に回転できるように係合され、前記固定ブロック２０の相対する側の端面には引掛り溝２１が前記引掛りロッド１９に相対するように環状に配列されて設けられ、前記台座１３の右側上端には上挟み板７３が固定的に設けられ、前記台座１３の右端面の下側にはねじりチャンバ７４が設けられ、前記ねじりチャンバ７４の中には下挟み板７５が回転できるように設けられ、前記下挟み板７５の前後両端と前記ねじりチャンバ７４の両壁との間にはトーションばねが固定的に設けられる。
【００１３】
有益的には、前記調整挟み装置は前記パレット１２を含み、前記パレット１２の中には伸縮チャンバ２２が設けられ、前記伸縮チャンバ２２の中には伸縮ロッド２３がスライドできるように設けられ、前記調整板１６が前記伸縮ロッド２３の右端に固定的に設けられ、前記伸縮ロッド２３の中には回転軸２４が回転できるように設けられ、前記回転軸２４の中にはスプライン孔２５が設けられ、前記伸縮チャンバ２２の左側には伝動チャンバ２６が設けられ、前記伝動チャンバ２６の中には従動傘歯車２７が回転できるように設けられ、前記従動傘歯車２７の右端には前記スプライン孔２５の中に伸びているスプライン軸２８が固定的に連結され、前記従動傘歯車２７の左側には主動傘歯車２９が噛み合って設けられ、前記主動傘歯車２９の前端にはリール３０が固定的に設けられ、前記リール３０には張り線３１が巻きつくように設けられ、前記リール３０の前端と前記伝動チャンバ２６の前壁には捻りばね７６が連結され、前記伝動チャンバ２６の前後両側には反対に開口したサイドスライドチャンバ３２が対称的に設けられ、前後サイド板１５の下側部分は前記サイドスライドチャンバ３２の中に延びており、且つ前後サイド板１５の下側部分にねじチャンバ３３が設けられ、前記主動傘歯車２９の後端と前記リール３０の前端には前記ねじチャンバ３３の中に延びているねじロッド３４が固定的に設けられ、前記伝動チャンバ２６の左側には底スライドチャンバ３６が設けられ、前記底板１４の下端は前記底スライドチャンバ３６の中に延びており、前記張り線３１が前記底板１４の下側部分の右端に連結され、前記調整板１６の中には引き動かしチャンバ３７が設けられ、前記回転軸２４の右端は前記引き動かしチャンバ３７の中に延びており、且つ前記回転軸２４の右端には主伝動傘歯車３８が固定的に設けられ、前記主伝動傘歯車３８の右側には前記主伝動傘歯車３８と噛み合っている従伝動傘歯車３９が設けられ、前記従伝動傘歯車３９の下端には揺りロッド４０が固定的に設けられ、前記揺りロッド４０の下端にはヒンジロッド４１がヒンジで連結され、前記頂板１７の下側部分は前記引き動かしチャンバ３７の中に延びており、且つ前記ヒンジロッド４１の右端にヒンジで連結され、前記伸縮ロッド２３の下端面にはラック４２が固定的に設けられ、前記伸縮チャンバ２２の下側には歯車チャンバ４３が設けられ、前記歯車チャンバ４３の中には前記ラック４２と噛み合っているラック歯車４４が回転できるように設けられ、前記ラック歯車４４の前端には従連動傘歯車４５が固定的に設けられ、前記従連動傘歯車４５の下側には前記従連動傘歯車４５と噛み合っている主連動傘歯車４６が設けられ、前記伸縮チャンバ２２の下側には位置制限溝７１が連通するように設けられ、前記伸縮ロッド２３の下端には前記位置制限溝７１の中に伸びている位置制限ブロック７２が固定的に設けられる。
【００１４】
有益的には、前記手動制御装置は前記本体１１の中に設置される切替チャンバ４７を含み、前記切替チャンバ４７の中には従動はすば歯車４８が回転できるように設けられ、前記従動はすば歯車４８の上端には伝動軸４９が固定的に連結され、前記伝動軸４９は前記本体１１および前記パレット１２の回転中心を貫通しており、且つ前記主連動傘歯車４６の下端に連結され、前記切替チャンバ４７の中において前記従動はすば歯車４８の右側には引掛り歯車ブロック５０が設けられ、前記引掛り歯車ブロック５０の右端と前記切替チャンバ４７の右壁との間には圧縮バネ５１が固定的に連結され、前記引掛り歯車ブロック５０の左側には切替ブロック５２が当接して設けられ、前記切替ブロック５２の中には空きチャンバ５３が設けられ、前記従動はすば歯車４８が前記空きチャンバ５３の中に位置することができ、前記切替チャンバ４７の前側にはガイドスライドチャンバ５４が連通するように設けられ、前記ガイドスライドチャンバ５４の中には前記切替ブロック５２に固定的に連結されるガイドスライドロッド５５がスライドできるように設けられ、前記ガイドスライドロッド５５の左端と前記ガイドスライドチャンバ５４の左壁との間には復帰バネ５６が固定的に連結され、前記ガイドスライドロッド５５の後端は外部に伸びており、且つ前記ガイドスライドロッド５５の後端には制御ブロック５７が固定的に連結され、前記空きチャンバ５３の中には前記従動はすば歯車４８の左端と噛み合っている主動はすば歯車５８が設けられ、前記主動はすば歯車５８の前端には動力軸５９が固定的に連結され、前記切替チャンバ４７の前側には回転軸チャンバ６０が連通するように設けられ、前記動力軸５９の前端は前記回転軸チャンバ６０を貫通しており、且つ前記動力軸５９の前端には回転つまみ６１が固定的に連結され、前記切替チャンバ４７の左側にはプッシュロッドチャンバ６２が連通するように設けられ、前記切替ブロック５２の左端には前記プッシュロッドチャンバ６２の中に伸びているプッシュロッド６３が固定的に連結される。
【００１５】
有益的には、前記位置制限装置は前記プッシュロッドチャンバ６２の左側に連通するように設けられる昇降チャンバ６４を含み、前記昇降チャンバ６４の中には昇降ブロック６５がスライドできるように設けられ、前記昇降ブロック６５の右端面において前記プッシュロッドチャンバ６２に相対する位置には凹溝６６が設けられ、前記昇降ブロック６５の上端と前記昇降チャンバ６４の上壁との間には押圧ばね６７が固定的に連結され、前記回転ブロック１８の中には引掛り板チャンバ６８が設けられ、前記昇降ブロック６５の下端は前記引掛り板チャンバ６８の中に伸びており、且つ前記昇降ブロック６５の下端の前後両端にはプッシュプルロッド６９が対称的にヒンジで連結され、前記引掛り板チャンバ６８の中にはスライド盤７０が前後に対称的にスライドできるように設けられ、前記プッシュプルロッド６９の下端が前記スライド盤７０の相対する一端にヒンジで連結され、前記引掛りロッド１９が前記スライド盤７０の反対側の端面に環状に配列されるように設置され、且つ外部に伸びている。
【００１６】
初期状態では、調整板１６はパレット１２と当接し、本体１１は水平状態にあり、このとき、切替ブロック５２は中間位置にあり、このとき、主動はすば歯車５８と従動はすば歯車４８とは噛合していなく、引掛り歯車ブロック５０は従動はすば歯車４８と当接してそれを引っかからせ、引掛りロッド１９は引掛り溝２１の中に伸びていて挟まれる。
【００１７】
携帯電話をきつく挟んでサポートするとき、制御ブロック５７を手動で制御して右に移動させ、ガイドスライドロッド５５によって切替ブロック５２を連動させて右に移動させ、このとき引掛り歯車ブロック５０を引き動かして右に移動させ、このとき引掛り歯車ブロック５０が従動はすば歯車４８から離脱し、主動はすば歯車５８は従動はすば歯車４８と噛み合い、このとき回転つまみ６１を手動で回転させ、動力軸５９によって主動はすば歯車５８を回転連動させ、歯車の噛み合いによって従動はすば歯車４８を回転連動させ、伝動軸４９によって主連動傘歯車４６を回転連動させ、歯車の噛み合いによって従連動傘歯車４５を回転連動させ、且つラック歯車４４を回転連動させ、ラックと歯車との噛み合いによってラック４２を連動させて右に移動させ、且つ伸縮ロッド２３と調整板１６を連動させて右に移動させ、これにより伸縮ロッド２３と調整板１６との間の距離を携帯電話の長さに合わせるまで調整し、次に底板１４を左に引っ張り、張り線をさらに引き締め、且つリール３０と主動傘歯車２９を回転連動させ、次にねじロッド３４を回転連動させ、ねじ山による連結によってサイド板１５を連動させて両側に広げ、同時に主動傘歯車２９は歯車の噛み合いによって従動傘歯車２７を回転連動させ、スプライン軸２８と回転軸２４によって主伝動傘歯車３８を回転連動させ、歯車の噛み合いによって従伝動傘歯車３９を回転連動させ、且つ揺りロッド４０を回転連動させ、揺りロッド４０によって頂板１７を連動させて右に移動させ、このとき、携帯電話がパレット１２の上に置かれ、底板１４と、サイド板１５と、頂板１７とは捻りばね７６のねじり力で復帰し、且つ携帯電話を挟み、次に制御ブロック５７を制御して左に移動させ、ガイドスライド板５５によって切換ブロック５２およびプッシュロッド６３を連動させて左に移動させ、このとき、プッシュロッド６３が凹溝６６の中に伸びており、且つ昇降ブロック６５を連動させて上に移動させ、プッシュプルロッド６９によってスライド盤７０を引き動かして互いに近接させ、且つ引掛りロッド１９を連動させて引掛り溝２１から移出させ、このとき、本体１１を回転させて傾斜角を制御し、復帰バネ５６の弾性力で復帰し、下挟み板７５を裏返し、上挟み板７３と下挟み板７５をきつく挟んで携帯電話ホルダーを固定し、水平および垂直スクリーンの角度はパレット１２を回転させることによって調整されることができる。
【００１８】
有益な効果は：本装置によって携帯電話を固定して支えているとき、百八十度の角度反転と三百六十度の水平および垂直画面回転を実現でき、より多くの利用ニーズを満たし、同時に、携帯電話の異なったサイズに従って調節することができ、より多くの携帯電話のタイプの使用に適応することができ、同時に、連動方式では四面の挟み板を簡単に開けることができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。